(57)【要約】【課題】  トルマリン粉末混合土やトルマリン粉末・土あるいは土・トルマリン粉末・土による構成により、根の周囲に確実にトルマリン粉末を付着させることができ、田植時において、トルマリン粉末も植込みできるため、効果を長期的に持続できる。  また、畑や田んぼに使用した場合も長期間使用でき、効率的な植物育成ができる苗床及び植物育成方法を提供する。【解決手段】  苗床ケース内に、トルマリン粉末と土を混合してなるトルマリン粉末混合土を設けてなることを特徴とする。【選択図】  図１
2005348705.tif 000002
【特許請求の範囲】
【請求項１】
苗床ケース内に、トルマリン粉末と土を混合してなるトルマリン粉末混合土を設けてなることを特徴とする苗床。
【請求項２】
苗床ケース内に、トルマリン粉末・土あるいは土・トルマリン粉末・土の順で敷設してなることを特徴とする苗床。
【請求項３】
苗床ケースの大きさを縦約３０ｃｍ・横約６０ｃｍ・高さ約４ｃｍとし、トルマリン粉末量を約５０ｇ〜約１００ｇとすることを特徴とする請求項１又は２記載の苗床。
【請求項４】
植物生長時において、根にトルマリン粉末を直接付着させることを特徴とする請求項１、２又は３記載の苗床。
【請求項５】
畑あるいは田んぼに、トルマリン粉末を蒔いた後、苗植えあるいは種蒔きしてなることを特徴とする植物育成方法。
【請求項６】
１反当り、トルマリン粉末を４ｋｇ蒔いてなることを特徴とする請求項５記載の植物育成方法。
【請求項７】
植物生長時において、根にトルマリン粉末を直接付着させることを特徴とする請求項５又は６記載の植物育成方法。
【発明の詳細な説明】
【技術分野】
【０００１】  本発明は、トルマリン粉末による遠赤外線効果・微弱電流効果・マイナスイオン効果・抗菌効果等により発芽促進、根伸長、収穫増大等が期待できる苗床及び植物育成方法に関するものである。
【背景技術】
【０００２】  従来技術として、木材パルプを原料とする紙の繊維成分１００重量部に対して、トルマリン鉱石粉末を少なくとも１重量部以上含有することを特徴とする農業用シートが開示されている。（特許文献１参照）【０００３】  また、別の従来技術として、農業用水路から圃場取水する分岐管であってトルマリン鉱石の粉末を混入したコンクリート管又はプラスチック管或は金属管を分岐管に内鞘式に内装したことを特徴とした畔に埋設する取水用の分岐管が開示されている。（特許文献２参照）
【特許文献１】  特開平１０−１５８９９１号公報
【特許文献２】  特開２００３−２５０３６１号公報
【発明の開示】
【発明が解決しようとする課題】
【０００４】  上記前者の場合においては、パルプとトルマリン鉱石粉末を混合してシート状に形成したものを使用してなるものであり、根に接触する量が必然的に少なく、期待される効果を得ることができない。【０００５】  また、上記後者の場合においては、水とトルマリン粉末を接触させ、マイナスイオン作用を有する水にて稲の改質を行うものであるが、還元水としての効果は期待できるものの、やはり直接根に触れるエネルギーレベルとしては低く、これもまた、期待される効果を得ることができない。【０００６】  本発明は、このような従来の構成が有していた問題を解決しようとするものであり、トルマリン粉末混合土、トルマリン粉末・土あるいは土・トルマリン粉末・土による構成により、根の周囲に確実にトルマリン粉末を付着させることができ、田植時において、トルマリン粉末も植込みできるため、効果を長期的に持続できる。
また、畑や田んぼに使用した場合も長期間使用でき、効率的な植物育成ができる苗床及び植物育成方法を提供することを目的とする。
【課題を解決するための手段】
【０００７】  そして、本発明は上記目的を達成するために、苗床においては、苗床ケース内にトルマリン粉末混合土を設け、また、トルマリン粉末・土あるいは土・トルマリン粉末・土の順で敷設してなること。苗床ケースの大きさを縦約３０ｃｍ・横約６０ｃｍ・高さ約４ｃｍとし、トルマリン粉末量を約５０ｇ〜約１００ｇとすること。植物生長時において、根にトルマリン粉末を直接付着させることを特徴とする。
また、植物育成方法においては、畑あるいは田んぼに、トルマリン粉末を蒔いた後、苗植えあるいは種蒔きしてなること。１反当り、トルマリン粉末を４ｋｇ蒔いてなること。植物生長時において、根にトルマリン粉末を直接付着させることを特徴とする。
【発明の効果】
【０００８】１）、苗床として、トルマリン粉末混合土やトルマリン粉末・土あるいは土・トルマリン粉末・土の順で構成することにより、生長した根にトルマリン粉末を付着させることができ、畑や田んぼに再植した後も、遠赤外線効果（細胞の活性化）、微弱電流効果（細胞を刺激し新陳代謝を促進）、マイナスイオン効果（栄養素の吸収力アップ）、抗菌効果等により、育成促進・根伸長・収穫増大（稲の場合、約１．６〜２倍）等の効果を長期間持続できる効果がある。
２）、苗床に、約５０ｇ〜約１００ｇのトルマリン粉末を使用することにより、生長がトルマリン粉末を使用しない苗床と比較（稲の場合）し、１．６倍〜２倍大きくなる。
３）、畑あるいは田んぼに直接トルマリン粉末を蒔くことにより、同様な効果を長期間得ることができると共に、作業が簡単であり、いつでも、どこでも容易に実施できる。
４）、１反当り、トルマリン粉末を約４ｋｇ蒔くと、効果を確認でき、稲の場合、２０％以上収穫量が多くなった。
５）、トルマリン粉末を田んぼに蒔くことにより、水田の浄化及び水田の水温が約１℃上昇し、特に冷夏等において効果を有する。
６）、トルマリン粉末を田んぼに蒔くことにより、水田の土壌が弱アルカリ性の水質に近づき、石灰等をまく必要なく、長期に使用できる。
７）、特に、トルマリン粉末をレンコン畑に使用することにより、臭いが消える等、消臭効果を有する。
８）、レンコン畑の泥が柔らかくなる（水のクラスターが小さくなる）ため、レンコンを掘り出しやすくなる。（田んぼに長靴で入ってもすぐ抜ける）
９）、特に、田んぼやレンコン畑において、トルマリン粉末により水素（活性水素）が発生し、細胞が活性化される。
１０）、田んぼの水温上昇、稲の生育の早さ等で、食糧危機の時等に２毛作が期待できる。
【発明を実施するための最良の形態】
【実施例】
【０００９】  苗床１は、苗床ケース２内に、トルマリン粉末３と土４を混合してなるトルマリン混合土５を設けてなるものであり、各寸法はＨ約４ｃｍ・Ｌ１約３０ｃｍ・Ｌ約６０ｃｍとし、トルマリン粉末３の重量を約５０ｇ〜約１００ｇとすることが望ましい。【００１０】  苗床１に、種（稲用）を蒔き、生長する過程において根ＮＥが伸び、特にトルマリン粉末３に接触し、付着させることにより、例えば田植機（図示せず）にて田んぼに植込む時、苗ＮＡの根ＮＥに土４とトルマリン粉末３が混合して付着した状態で植込むことができ、長期間（収穫時まで）効果が持続（収穫後においても田んぼ内に残留する）できるものである。【００１１】  苗床２１は、苗床ケース２２内に、トルマリン粉末２３、つづいて土２４を敷設してなるものである。
なお、トルマリン粉末２３の量は、上記と同様とする。【００１２】  苗床２１も同様に、根ＮＥ１が伸び、根ＮＥ１に土２４とトルマリン粉末２３が別々に付着した状態で植込むことができ、集中的に根の下部を活性させてなるものである。【００１３】  つぎに、苗床３１を説明する。
この苗床３１は、前記と同様な苗床ケース２・２２内に、土６・トルマリン粉末３３・土３４の順で敷設してなるものである。【００１４】  苗床３１は、前記と同様に根ＮＥ２が伸び、トルマリン粉末３３及び土３４・６に接触し、付着させることにより、特に土３４・６にてサンドイッチ状にトルマリン粉末３３を挟持しているため、畑や田んぼに植込む時、トルマリン粉末３３が保持されるため、効率よく育成できるものである。【００１５】  つぎに、植物育成方法について述べる。
植物育成方法は、畑あるいは田んぼＨＴにトルマリン粉末４３を蒔いた後、苗植えあるいは種Ｔ蒔きしてなる植物育成方法である。【００１６】  なお、トルマリン粉末４３は畑あるいは田んぼＨＴ１反当り、４ｋｇ前後が適当である。【００１７】  今回の実験では、黒トルマリン粉末を使用した。
また、トルマリン粉末量も植物の種類によって決めればよく、今回は稲（籾）での量であり、必要に応じて増減すればよい。
さらに、苗床の表面に必要に応じてトルマリン粉末を蒔いてもよい。
【図面の簡単な説明】
【００１８】
【図１】  本発明の第１実施形態を示す苗床の斜視図。
【図２】  本発明の第１実施形態を示す苗床の縦断正面図。
【図３】  本発明の第１実施形態を示す苗床の苗の正面図。
【図４】  本発明の第２実施形態を示す苗床の縦断正面図。
【図５】  本発明の第２実施形態を示す苗床の苗の正面図。
【図６】  本発明の第３実施形態を示す苗床の縦断正面図。
【図７】  本発明の第３実施形態を示す苗床の苗の正面図。
【図８】  本発明の実施形態を示す植物育成方法の状態図。
【符号の説明】
【００１９】  １−−−苗床
２−−−苗床ケース
３−−−トルマリン粉末
４−−−土
５−−−トルマリン粉末混合土
【図１】
2005348705.tif 000003
【図２】
2005348705.tif 000004
【図３】
2005348705.tif 000005
【図４】
2005348705.tif 000006
【図５】
2005348705.tif 000007
【図６】
2005348705.tif 000008
【図７】
2005348705.tif 000009
【図８】
2005348705.tif 000010